(57)【要約】【課題】リハビリ効果が高く、さらに、ゲーム性を有するリハビリ器具を提供する。【解決手段】リハビリ器具１０ａは、基台１４と、該基台１４上に設けられた複数の受け体１２と、浮体１８とを有する。受け体１２は、基台１４に固定された複数の支柱１６と、各支柱１６の周囲に設置されたコイルばね２４とを備える。浮体１８は、コイルばね２４により弾性支持されると、その上端面１８ａが支柱１６よりも上方に位置するように構成されている。そして、浮体１８を孔部１８ｂから支柱１６に挿す作業を繰り返すことにより、高いリハビリ効果を得ることができる。【選択図】図２
2008043505.tif 000002
【特許請求の範囲】
【請求項１】
基台と、
前記基台に固定された複数の支柱と、
前記各支柱の外側又は内側に設置された弾性体と、
前記弾性体により弾性支持された際に、その上端部が前記支柱よりも上方に位置する複数の浮体とを備え、
前記支柱又は前記浮体のいずれか一方には孔部が形成され、
前記浮体を、前記孔部を用いて前記支柱に挿すことで、該浮体が前記弾性体により弾性支持されることを特徴とするリハビリ器具。
【請求項２】
請求項１記載のリハビリ器具において、
前記各弾性体の弾性係数の値及び前記各浮体の重量の値は、いずれも２種類以上設けられ、
前記弾性係数と重量との比が所定値となる前記弾性体及び前記浮体が組み合わされた際には、該弾性体により弾性支持された浮体の上端部の位置が所定範囲内に収まるように設定されていることを特徴とするリハビリ器具。
【請求項３】
請求項１記載のリハビリ器具において、
前記各弾性体の弾性係数の値及び前記各浮体の重量の値は、いずれも２種類以上設けられ、
前記弾性係数と重量との比が所定値となる前記弾性体及び前記浮体が組み合わされた際には、該弾性体により弾性支持された各浮体の上端部の位置が同位置となるように設定されていることを特徴とするリハビリ器具。
【請求項４】
請求項１〜３記載のいずれか１項に記載のリハビリ器具において、
さらに、中空の直線部と、該直線部の上端側から連続するテーパ部とを有し、前記浮体を前記支柱に挿す動作を補助する補助具を備え、
前記直線部が前記支柱の周囲に設けられ、前記テーパ部の上端部は前記支柱よりも高い位置となるように設定されていることを特徴とするリハビリ器具。
【請求項５】
請求項４記載のリハビリ器具において、
前記テーパ部は、その内部を可視可能な材質から構成され、該テーパ部には、前記弾性体に弾性支持された前記浮体の上端部が位置すべき範囲を示すマークが設けられていることを特徴とするリハビリ器具。
【発明の詳細な説明】
【技術分野】
【０００１】
本発明は、運動機能等に障害を持つ人のリハビリ用として利用できるリハビリ器具に関する。
【背景技術】
【０００２】
従来から、病後等で運動機能等に障害を来した人のリハビリ用として、各種リハビリ器具が用いられている。
【０００３】
特許文献１には、手や神経等のリハビリ効果が得られるリハビリ器具（遊戯具）であって、基台の上面部と下面部の縦位置と横位置に罫線を設け、罫線の交点の上面部と下面部に貫通穴を設けて、別に設けた支柱を貫通穴に挿脱、停め表示することができる器具が記載されている。
【０００４】
【特許文献１】特開２００５−１６０９８７号公報
【発明の開示】
【発明が解決しようとする課題】
【０００５】
しかしながら、上記従来構成のリハビリ器具では、貫通穴に対して支柱を挿脱するだけであるため、面白みやゲーム性に欠け、期待できるリハビリ効果も乏しいものとなっていた。
【０００６】
本発明は、係る従来の課題を考慮してなされたものであり、リハビリ効果が高く、さらに、ゲーム性を有するリハビリ器具を提供することを目的とする。
【課題を解決するための手段】
【０００７】
本発明のリハビリ器具は、基台と、前記基台に固定された複数の支柱と、前記各支柱の外側又は内側に設置された弾性体と、前記弾性体により弾性支持された際に、その上端部が前記支柱よりも上方に位置する複数の浮体とを備え、前記支柱又は前記浮体のいずれか一方には孔部が形成され、前記浮体を、前記孔部を用いて前記支柱に挿すことで、該浮体が前記弾性体により弾性支持されることを特徴とする。
【０００８】
このような構成によれば、前記各浮体を各支柱へと挿す作業を指先で行うことにより、手へのリハビリ効果を得ることができる。
【０００９】
また、前記各弾性体の弾性係数の値及び前記各浮体の重量の値は、いずれも２種類以上設けられ、前記弾性係数と重量との比が所定値となる前記弾性体及び前記浮体が組み合わされた際には、該弾性体により弾性支持された浮体の上端部の位置が所定範囲内に収まるように設定するとよい。さらに、前記各弾性体の弾性係数の値及び前記各浮体の重量の値は、いずれも２種類以上設けられ、前記弾性係数と重量との比が所定値となる前記弾性体及び前記浮体が組み合わされた際には、該弾性体により弾性支持された各浮体の上端部の位置が同位置となるように設定するとよい。
【００１０】
このように構成すると、前記各浮体を各支柱へと挿す作業による手へのリハビリ効果に加えて、各浮体の重量と各弾性体の弾性係数との適合条件を考えながらリハビリ作業を行うことによる頭脳へのリハビリ効果も得ることができる。また、前記適合条件を考えることにより、本発明のリハビリ器具のゲーム性が向上するため、一層楽しみながらリハビリ作業を行うことができるようになる。
【００１１】
本発明のリハビリ器具では、さらに、中空の直線部と、該直線部の上端側から連続するテーパ部とを有し、前記浮体を前記支柱に挿す動作を補助する補助具を備え、前記直線部が前記支柱の周囲に設けられ、前記テーパ部の上端部は前記支柱よりも高い位置となるように設定されていると、前記テーパ部を介して浮体を支柱へと簡単に挿すことができる。このため、浮体を支柱へと簡単に挿すことができない症状を持つ使用者であっても、極めて容易にリハビリ作業を行うことができる。
【００１２】
また、前記テーパ部が、その内部を可視可能な材質から構成され、該テーパ部には、前記弾性体に弾性支持された前記浮体の上端部が位置すべき範囲を示すマークが設けられていると、前記各浮体の位置を容易に一致させることができるようになる。また、前記マークの位置に各浮体の上端部を揃えることにより、本発明のリハビリ器具のゲーム性が一層向上する。
【発明の効果】
【００１３】
本発明によれば、複数の浮体を基台上に固定された複数の支柱へと挿す作業を指先で行うことにより、手へのリハビリ効果を得ることができる。
【００１４】
また、本発明によれば、前記浮体の重量と前記支柱に設けられた弾性体の弾性係数との比が所定値となるように設定されているため、前記各浮体を各支柱へと挿す作業による手へのリハビリ効果に加えて、各浮体の重量と各弾性体の弾性係数との適合条件を考えながらリハビリ作業を行うことによる頭脳へのリハビリ効果を得ることができる。この場合、前記適合条件を考えることによりゲーム性が一層向上するため、一層楽しみながらリハビリ作業を行うことができる。
【発明を実施するための最良の形態】
【００１５】
以下、本発明に係るリハビリ器具について好適な実施形態を挙げ、添付の図面を参照して詳細に説明する。
【００１６】
図１は、本発明の第１の実施形態に係るリハビリ器具１０ａの斜視図である。図２は、図１に示すリハビリ器具１０ａに備えられた受け体１２の周辺部を拡大した一部断面斜視図である。
【００１７】
リハビリ器具１０ａは、基台１４と、該基台１４に複数個（本第１の実施形態では１２個）固定された受け体１２と、該受け体１２を構成する支柱１６に対して使用者が取り付ける浮体１８とから構成されている。このようなリハビリ器具１０ａは、使用者が指先で各浮体１８を各支柱１６に挿すと共に、支柱１６に挿した各浮体１８の上端部の水平位置を揃えることで、手や頭脳等へのリハビリ効果が得られるものである。
【００１８】
基台１４は、例えば、矩形状の木材や樹脂製材料により構成され、その表面には略等間隔で１２個の凹部２０が形成されている。該凹部２０には前記受け体１２が固定される。
【００１９】
受け体１２は、前記各凹部２０の中心に突設される円柱形状の支柱１６と、該支柱１６の周囲に設置されたコイルばね（弾性体）２４と、これら支柱１６及びコイルばね２４を覆うように配置された挿入補助具（補助具）２６とを備える。
【００２０】
前記挿入補助具２６は、コイルばね２４を囲繞する中空の直線部２６ａと、該直線部２６ａの上端側から連続するすり鉢状のテーパ部２６ｂとを有する漏斗形状である。このような挿入補助具２６は、少なくともテーパ部２６ｂが内側に配置された浮体１８や支柱１６を外部から可視可能な材質、例えば透明な樹脂製材料により形成されている。前記テーパ部２６ｂの略中間位置には、例えば２本線からなるマーク２６ｃが記されている。前記直線部２６ａは支柱１６の高さよりも多少大きいものとされる（図３Ａ参照）。このような挿入補助具２６では、テーパ部２６ｂが浮体１８を支柱１６へと挿し込む際の補助具として機能する一方、マーク２６ｃがリハビリ器具１０ａの使用時に浮体１８の適正位置（範囲）を示す目盛りとして機能する。
【００２１】
前記コイルばね２４は無荷重状態、いわゆる自然長において、支柱１６の高さよりも小さいものとされる（図３Ａ参照）。
【００２２】
浮体１８は、孔部１８ｂを有する円柱状であって、その高さは支柱１６よりも小さいものとされている（図３Ｂ参照）。なお、浮体１８の高さは支柱１６よりも大きいものとしてもよい。このような浮体１８は、前記孔部１８ｂにより下端側が開口し、上端面（上端部）１８ａにより上端側が閉塞されている。孔部１８ｂの内径は支柱１６の外径よりも大きく設定されている。従って、浮体１８を孔部１８ｂの開口部から支柱１６の上端側に対して挿すと（取り付ける）と、孔部１８ｂ内へと支柱１６が挿入されると共に、前記開口部の周縁部がコイルばね２４の上端側に当接する。この際、浮体１８の重量によりコイルばね２４は押圧され収縮される一方、浮体１８はコイルばね２４により弾性支持される。
【００２３】
ところで、前記のようにコイルばね２４で弾性支持された状態の浮体１８の上端面１８ａの位置（高さ）は、コイルばね２４の収縮量（変位量）により決まり、該収縮量は、コイルばね２４のばね定数（弾性係数）と、浮体１８の重量とにより決まる。この場合、例えば、コイルばね２４の収縮量をｘ（ｍｍ）、ばね定数をｋ（ｋｇｆ／ｍｍ）とし、浮体１８の重量をｍ（ｋｇ）とすると、ｘ＝ｍ／ｋとして算出することができるが、このような算出方法は公知なものであるため詳細な説明は省略する。
【００２４】
以上からリハビリ器具１０ａでは、各コイルばね２４のばね定数の値及び各浮体１８の重量の値をそれぞれが異なるように、例えばいずれも２種類以上とする。そして、コイルばね２４と浮体１８のセット（組み合わせ）を予め設定しておき、該セットにおける弾性係数と重量との比を、例えば所定値Ａとして、他のセットについても弾性係数と重量との比を前記所定値Ａになるように設定しておく。そうすると、リハビリ器具１０ａの使用時に、予め設定された前記セットからなる浮体１８とコイルばね２４とが組み合わされた場合には、各浮体１８の上端面１８ａの位置がマーク２６ｃの位置となり、つまり、各上端面１８ａの位置を同一水平面上に均一に配置することができる（図４参照）。一方、予め設定された前記セット以外の浮体１８とコイルばね２４とが組み合わされた場合には、各浮体１８の上端面１８ａの位置が不均一となる。
【００２５】
次に、基本的には以上のように構成されるリハビリ器具１０ａの使用例について説明する。
【００２６】
先ず、全ての浮体１８を支柱１６から取り外した状態とする。次いで、使用者は、ばらばらになった浮体１８のうちの１個を掴み、１２個設けられた支柱１６のいずれかに挿す。この際、前記掴まれた浮体１８が前記のようなセットを構成していた支柱１６以外に取り付けられた場合には、コイルばね２４により弾性支持された浮体１８の上端面１８ａが、挿入補助具２６のマーク２６ｃの位置（２本線の間）からずれた位置となる。つまり、図３Ｂに示すような側面視において、前記上端面１８ａの位置が、マーク２６ｃの位置よりも上方又は下方に外れた位置となる。このような場合、使用者は、該浮体１８を間違った支柱１６から取り外し、再度、他の支柱１６へと取り付ける作業を繰り返し、全ての浮体１８がコイルばね２４で弾性支持された際にマーク２６ｃの位置となる受け体１２へと取り付けられたところで作業が完了することになる（図４参照）。
【００２７】
なお、リハビリ器具１０ａでは挿入補助具２６を有するため、浮体１８を支柱１６へと挿すことが簡単にはできないような症状を持つ使用者であっても、浮体１８を該挿入補助具２６のテーパ部２６ｂ上を滑らせるようにして、極めて容易に支柱１６へと挿し込むことができる。また、該挿入補助具２６は基台１４に対して着脱自在に構成しておくとよい。そうすると、使用者の症状に応じて、リハビリ器具１０ａを使用する際の難易度を簡単に変更することができる。
【００２８】
以上のように、リハビリ器具１０ａでは、浮体１８を支柱１６へと挿すことによる手へのリハビリ効果に加えて、浮体１８の重量とコイルばね２４のばね定数との適合条件を考えながらリハビリ作業を行うことによる頭脳へのリハビリ効果も得ることができる。このように、リハビリ器具１０ａでは、前記適合条件を考えることによるゲーム性を有するため、リハビリ作業が指先だけの単純作業となることがなく、手や頭脳等に対する高いリハビリ効果が期待できる。
【００２９】
なお、リハビリ器具１０ａは、図５に示すように、前記浮体１８の高さを大きくした浮体３０を備えるリハビリ器具１０ｂとすることで、マーク２６ｃを設けることなく浮体１８の位置を揃えることもできる。この場合、コイルばね２４で弾性支持された状態で、浮体３０の上端面３０ａがテーパ部２６ｂの上端部よりも上に突出するようにすればよく、各浮体３０の上端面３０ａの位置を揃える方法としては、目視や定規等を当てて確認する方法等が挙げられる。このように、リハビリ器具１０ｂでは、浮体３０の上端面３０ａがテーパ部２６ｂよりも上に位置する。従って、マーク２６ｃが不要となり、さらにテーパ部２６ｂを含む挿入補助具２６をその内側が可視可能な材質に規定する必要がなくなるため、製造コストの低減が可能となる。
【００３０】
次に、本発明の第２の実施形態につき、図６を参照して説明する。図６は、この第２の実施形態に係るリハビリ器具１０ｃに備えられた受け体３２の周辺部を拡大した一部断面斜視図である。なお、図６において、図１〜図５に示される参照符号と同一の参照符号は、同一又は同様な構成を示し、このため同一又は同様な機能及び効果を奏するものとして、その詳細な説明を省略する。
【００３１】
リハビリ器具１０ｃは、受け体１２の代わりに受け体３２を有し、該受け体３２は、支柱３４と、コイルばね（弾性体）３６と、挿入補助具２６とを備える。さらに、リハビリ器具１０ｃは、浮体１８の代わりに浮体３８を有する。
【００３２】
前記支柱３４は、支柱１６よりも大径であって、内部を貫通する孔部３４ａが形成された円筒形状からなり、孔部３４ａ内にはコイルばね３６が配設されている。前記浮体３８は、前記浮体１８よりも小径の円柱形状からなる。
【００３３】
従って、リハビリ器具１０ｃでは、浮体３８が孔部３４ａ内に挿入されることで、該浮体３８がコイルばね３６により弾性支持される。この際、前記リハビリ器具１０ａと同様に、浮体３８の上端面３８ａがマーク２６ｃの位置となるように設定されている。
【００３４】
以上のように、本第２の実施形態に係るリハビリ器具１０ｃでは、浮体３８を支柱３４の孔部３４ａに挿入することで該浮体３８がコイルばね３６により弾性支持される。従って、浮体３８を支柱３４へと挿す方向が規定されず、前記リハビリ器具１０ａに比べて、浮体３８を支柱３４に挿す作業が一層容易になる。このため、リハビリ作業の難度を一層低くすることができ、さらに簡単にリハビリ作業を行うことが可能となる。
【００３５】
なお、本第２の実施形態に係るリハビリ器具１０ｃにおいても、前記リハビリ器具１０ａと同様に、挿入補助具２６を着脱可能に構成してもよい。また、前記リハビリ器具１０ｂと同様に、浮体３８の高さを大きくすると共にマーク２６ｃを省略し、その上端面３８ａがテーパ部２６ｂより上に突出するように構成することもできる。
【００３６】
なお、本発明は上記実施形態に限らず、本発明の要旨を逸脱することなく、種々の構成を採り得ることは当然可能である。
【００３７】
例えば、支柱１６、３４の形状は円柱形状以外にも、角柱形状等に変更してもよい。同様に、浮体１８、３８の形状も変更可能である。
【００３８】
また、リハビリ器具１０ａ〜１０ｃにおいて、全てのコイルばねの弾性係数と浮体の重量とを同一のものとすることもできるが、頭脳へのリハビリ効果やゲーム性等を考えた場合には、上記各実施形態のように同一としない方が好ましい。
【００３９】
さらに、浮体１８、３８を弾性支持する弾性体としては、コイルばね２４、３６以外にも、例えば板ばね等、浮体１８、３８を弾性支持可能な部材であれば用いることができる。
【図面の簡単な説明】
【００４０】
【図１】本発明の第１の実施形態に係るリハビリ器具の斜視図である。
【図２】図１に示すリハビリ器具に備えられた受け体の周辺部を拡大した一部断面斜視図である。
【図３】図３Ａは、図１に示す受け体の支柱に浮体を挿す前の状態を示す縦断面図であり、図３Ｂは、図１に示す受け体の支柱に浮体を挿した状態を示す縦断面図である。
【図４】図１に示すリハビリ器具の支柱に浮体を挿した状態を示す側面図である。
【図５】本発明の第１の実施形態に係るリハビリ器具の変形例を示す側面図である。
【図６】本発明の第２の実施形態に係るリハビリ器具の受け体の周辺部を拡大した一部断面斜視図である。
【符号の説明】
【００４１】
１０ａ〜１０ｃ…リハビリ器具        １２、３２…受け体
１４…基台                          １６、３４…支柱
１８、３０、３８…浮体              １８ａ、３０ａ、３８ａ…上端面
１８ｂ、３４ａ…孔部                ２４、３６…コイルばね
２６…挿入補助具                    ２６ａ…直線部
２６ｂ…テーパ部                    ２６ｃ…マーク
【図１】
2008043505.tif 000003
【図２】
2008043505.tif 000004
【図３】
2008043505.tif 000005
【図４】
2008043505.tif 000006
【図５】
2008043505.tif 000007
【図６】
2008043505.tif 000008